【手続補正書】
【提出日】平成23年4月14日(2011.4.14)
【手続補正１】
【補正対象書類名】明細書
【補正対象項目名】０１６４
【補正方法】変更
【補正の内容】
【０１６４】
本出願では、以下の態様が提供される。
１．  繊維性基材の第１及び第２主表面に沿った繊維を含む、前記繊維性基材と、前記第１主表面に沿った繊維の少なくとも一部にわたる、繊維表面処理部であって、前記繊維表面処理部は（ｉ）酸素プラズマ処理部、又は（ｉｉ）ダイヤモンド様ガラスフィルムコーティング、あるいは（ｉ）及び（ｉｉ）の両方を含む、繊維表面処理部と、前記繊維表面処理部に結合されるアニオン性高分子電解質と、を含む、物品。
２．  前記繊維表面処理部が、ダイヤモンド様ガラスフィルムを含む、態様１に記載の物品。
３．  前記第１ダイヤモンド様ガラスフィルムが、水素を除いた成分を基準に、少なくとも約３０原子％の炭素、少なくとも約２５原子％のシリコン、及び約４５原子％以下の酸素を含む、高密度のランダムな共有結合系を含む、態様２に記載の物品。
４．  前記繊維表面処理部が、前記酸素プラズマ処理部を更に含む、態様３に記載の物品。
５．  前記繊維表面処理部が、前記酸素プラズマ処理部を含む、態様１に記載の物品。
６．  前記アニオン性高分子電解質層が、前記繊維表面処理部上のシランカップリング層によって、前記繊維表面処理部に結合される、態様１に記載の物品。
７．  前記アニオン性高分子電解質層上にカチオン性高分子電解質層を更に含む、態様１に記載の物品。
８．  前記アニオン性高分子電解質層が、ポリ（スチレンスルホン酸）ナトリウム塩を含む、態様１に記載の物品。
９．  前記カチオン性高分子電解質層が、ポリ（アリルアミン塩酸塩）又はポリ（ヘキサメチレンビグアニド）（ＰＨＭＢ）を含む、態様７に記載の物品。
１０．  前記物品が、交代式アニオン性高分子電解質層、及びカチオン性高分子電解質層を含む、態様１に記載の物品。
１１．  前記物品が、最も外側のカチオン性高分子電解質層を含む、態様１に記載の物品。
１２．  前記第２主表面に沿った繊維の少なくとも一部にわたる第２の繊維表面処理部であって、前記第２の繊維表面処理部が（ｉ）酸素プラズマ処理部、又は（ｉｉ）ダイヤモンド様ガラスフィルムコーティング、あるいは（ｉ）及び（ｉｉ）の両方を含む、第２繊維表面処理部と、前記第２繊維表面処理部に堆積される第２シラン層と、前記第２のシラン層上の、アニオン性高分子電解質層、又はアニオン性高分子電解質層及びカチオン性高分子電解質層の両方と、を更に含む、態様１に記載の物品。
１３．  前記第１主表面に沿った前記繊維が、第１の化学的性質の層によってコーティングされ、前記第２主表面に沿った前記繊維が、第２の化学的性質の層によってコーティングされ、前記第１の化学的性質が、前記第２の化学的性質と異なる、態様１２に記載の物品。
１４．  前記繊維性基材が、不織布ウェブである、態様１に記載の物品。
１５．  銀含有化合物、銅含有化合物、ヨード含有化合物、又はこれらの組み合わせを含む、少なくとも１つの活性成分を更に含む、態様１に記載の物品。
１６．  態様１５の物品を含む、創傷包帯。
１７．  繊維性基材の第１及び第２主表面に沿った繊維を含む、繊維性基材と、前記第１主表面、前記第２主表面、又は両方に沿った、前記繊維の少なくとも一部をコーティングする、ダイヤモンド様ガラスフィルムと、前記第１ダイヤモンド様ガラスフィルム上のシランカップリング層と、前記シランカップリング層上のアニオン性高分子電解質層と、を含む、物品。
１８．  前記少なくとも１つのアニオン性高分子電解質層上に、少なくとも１つのカチオン性高分子電解質層を更に含む、態様１７に記載の物品。
１９．  前記シランカップリング層が、酸性溶液に晒され、前記シランカップリング層上のアミノ基をプロトン化する、態様１７に記載の物品。
２０．  前記アニオン性高分子電解質層が、ポリ（スチレンスルホン酸）ナトリウム塩を含み、前記カチオン性高分子電解質層が、ポリ（アリルアミン塩酸塩）、又はポリ（ヘキサメチレンビグアニド）（ＰＨＭＢ）を含む、態様１８に記載の物品。
２１．  官能化繊維性基材を作製する方法であって、前記方法が、第１及び第２主表面を有する繊維性基材を、表面処理プロセスにかけ、前記第１主表面に沿った繊維の少なくとも一部にわたって繊維表面処理を提供する工程であって、前記繊維表面処理が、（ｉ）酸素プラズマ処理、又は（ｉｉ）ダイヤモンド様ガラスフィルムコーティング、あるいは（ｉ）及び（ｉｉ）の両方を含む、工程と、少なくとも１つの高分子電解質層を前記繊維表面処理部に結合する工程と、を含む、官能化繊維性基材を作製する方法。
２２．  前記結合工程が、シランカップリング剤を前記繊維表面処理部にカップリングする工程と、前記シランカップリング剤を、少なくとも１つの高分子電解質層でオーバーコーティングする工程と、を含む、態様２１に記載の方法。
２３．  前記結合工程が、前記シランカップリング剤を酸で処理することにより、前記シランカップリング剤のアミノ基をプロトン化する工程を更に含む、態様２１に記載の方法。
２４．  前記少なくとも１つの高分子電解質層が、（ｉ）アニオン性高分子電解質層、又は（ｉｉ）アニオン性高分子電解質層及び続いて適用されるカチオン性高分子電解質層を含む、態様２１に記載の方法。
２５．  前記少なくとも１つの高分子電解質層が、交代式アニオン性及びカチオン性高分子電解質層を含み、前記繊維性基材の第１及び第２主表面の両方に沿って、最も外側のアニオン性高分子電解質層、最も外側のカチオン性高分子電解質層、又は両方を含む、態様２１に記載の物品。
２６．  前記繊維性基材が、ポリプロピレン繊維の不織布ウェブを含む、態様２１に記載の方法。
２７．  少なくとも１つの高分子電解質層に少なくとも１つの活性成分を組み込む工程であって、前記少なくとも１つの活性成分が、銀含有化合物、銅含有化合物、ヨード含有化合物、又はこれらの組み合わせを含む工程を更に含む、態様２１に記載の方法。
本明細書は、その特定の実施形態に関して詳細に説明してきたが、上述の事項を理解することにより、当業者がこれら実施形態に対する変更、その変形、及びそれらの同等物を容易に想起できることは明らかである。したがって、本開示の範囲は、添付の請求項及びそれらの任意の同等の範囲と判定されるべきである。
【手続補正２】
【補正対象書類名】特許請求の範囲
【補正対象項目名】全文
【補正方法】変更
【補正の内容】
【特許請求の範囲】
【請求項１】
繊維性基材の第１及び第２主表面に沿った繊維を含む、前記繊維性基材と、
前記第１主表面に沿った繊維の少なくとも一部にわたる、繊維表面処理部であって、前記繊維表面処理部は（ｉ）酸素プラズマ処理部、又は（ｉｉ）ダイヤモンド様ガラスフィルムコーティング、あるいは（ｉ）及び（ｉｉ）の両方を含む、繊維表面処理部と、
前記繊維表面処理部に結合されるアニオン性高分子電解質と、
を含む、物品。
【請求項２】
前記アニオン性高分子電解質層が、前記繊維表面処理部上のシランカップリング層によって、前記繊維表面処理部に結合される、請求項１に記載の物品。
【請求項３】
前記第２主表面に沿った繊維の少なくとも一部にわたる第２の繊維表面処理部であって、前記第２の繊維表面処理部が（ｉ）酸素プラズマ処理部、又は（ｉｉ）ダイヤモンド様ガラスフィルムコーティング、あるいは（ｉ）及び（ｉｉ）の両方を含む、第２繊維表面処理部と、
前記第２繊維表面処理部に堆積される第２シラン層と、
前記第２のシラン層上の、アニオン性高分子電解質層、又はアニオン性高分子電解質層及びカチオン性高分子電解質層の両方と、
を更に含む、請求項１に記載の物品。
【請求項４】
官能化繊維性基材を作製する方法であって、前記方法が、
第１及び第２主表面を有する繊維性基材を、表面処理プロセスにかけ、前記第１主表面に沿った繊維の少なくとも一部にわたって繊維表面処理を提供する工程であって、前記繊維表面処理が、（ｉ）酸素プラズマ処理、又は（ｉｉ）ダイヤモンド様ガラスフィルムコーティング、あるいは（ｉ）及び（ｉｉ）の両方を含む、工程と、
少なくとも１つの高分子電解質層を前記繊維表面処理部に結合する工程と、
を含む、官能化繊維性基材を作製する方法。